(57)【要約】【課題】ユーザが画像表示部２と操作ボタン部３の角度を９０度から１８０度の間で任意に設定することが出来る折り畳み式携帯電話を提供する。【解決手段】画像表示部２の角度を規制するためにヒンジ部に組み込んだストッパ４の位置を使用者が調整することにより、折り畳み式携帯電話１の画像表示部２と操作ボタン部３の角度を９０度から１８０度の間で任意に設定することが出来る。【選択図】        図１
2004316684.tif 000002
【特許請求の範囲】
【請求項１】
画像表示を行う画像表示手段を備えた第１の筐体と、
ユーザによるボタン操作が行われる操作ボタン手段を備えた第２の筐体と、
前記第１の筐体と前記第２の筐体とを結合し、角度を規制するヒンジ部とを有し、
前記ヒンジ部に調整機構を取り付けることにより、前記第１の筐体と前記第２の筐体との角度を９０度から１８０度の間でユーザによって任意に設定されることを特徴とする折り畳み式携帯電話。
【請求項２】
前記調整機構は、前記ヒンジ部の内部に組み込まれることを特徴とする請求項１記載の折り畳み式携帯電話。
【請求項３】
前記調整機構は、前記ヒンジ部に取り付けられた外部アタッチメントであることを特徴とする請求項１記載の折り畳み式携帯電話。
【請求項４】
前記調整機構は、前記第１の筐体を任意の位置で止めるストッパを有することを特徴とする請求項１から３のいずれか１項に記載の折り畳み式携帯電話。
【請求項５】
前記ストッパの位置は、前記ユーザによって調整されることを特徴とする請求項４記載の折り畳み式携帯電話。
【請求項６】
前記調整機構は、無調整にすると前記角度が１８０度になることを特徴とする請求項１から４のいずれか１項に記載の折り畳み式携帯電話。
【発明の詳細な説明】
【０００１】
【発明の属する技術分野】
本発明は、ヒンジ部に開閉角度の調整機能を備えた折り畳み式携帯電話に関する。
【０００２】
【従来の技術】
一般的に従来の折り畳み式携帯電話では、受話部および画像表示部を有する第１の筐体と送話部および操作ボタン部を有する第２の筐体との角度はそれぞれの筐体を接触させることにより決定され、任意の角度で保持することは出来ない。従って、従来の折り畳み式携帯電話は、卓上ホルダーに置いた場合、表示部が一定の角度にしかならないため表示部が見にくいという問題があった。また、カメラ付き携帯電話の場合は、不安定な角度で撮影することになり、撮影ボタンを押すときに角度が変化してしまう可能性があった。また、ヒンジ部にラッチ等の仕組みを組み込むことにより最大角度以外に中間の１点で角度が保持される仕組みを持った携帯電話はあるが、ユーザによって細かい角度の設定ができるものはない。
【０００３】
従来の技術例として、カムを用いて特定の角度に保持する携帯用電話器がある（例えば、特許文献１参照）。また、「折り畳み式電話機」がある（例えば、特許文献２参照）。また、ヒンジ部に回転機構を設け、回転機構により開閉角度を調整して最適な受信レベルに設定する携帯電話機がある（例えば、特許文献３参照）。
【０００４】
【特許文献１】
特開平１０−６５７７８号公報
【特許文献２】
特開平１０−１３５１３号公報
【特許文献３】
特開２００１−３６３２５号公報
【０００５】
【発明が解決しようとする課題】
しかしながら、上記特許文献１記載の発明は、使用者が任意に開く角度を決めることができない。また、上記特許文献２および３記載の発明は、使用者による角度の設定範囲が従来の折り畳み式携帯電話の開く角度に限られ、幅広い角度の設定を解決するものではない。
【０００６】
本発明は、上記事情に鑑みてなされたものであり、折り畳み式携帯電話のヒンジ部に調整機構を取り付けることにより、画像表示部と操作ボタン部との角度を９０度から１８０度の間でユーザが任意に設定できる折り畳み式携帯電話を提供することを目的とする。
【０００７】
【課題を解決するための手段】
かかる目的を達成するために、請求項１記載の折り畳み式携帯電話は、画像表示を行う画像表示手段を備えた第１の筐体と、ユーザによるボタン操作が行われる操作ボタン手段を備えた第２の筐体と、第１の筐体と第２の筐体とを結合し、角度を規制するヒンジ部とを有し、ヒンジ部に調整機構を取り付けることにより、第１の筐体と第２の筐体との角度を９０度から１８０度の間でユーザによって任意に設定されることを特徴とする。
【０００８】
請求項２記載の折り畳み式携帯電話は、請求項１記載の折り畳み式携帯電話において、調整機構は、ヒンジ部の内部に組み込まれることを特徴とする。
【０００９】
請求項３記載の折り畳み式携帯電話は、請求項１記載の折り畳み式携帯電話において、調整機構は、ヒンジ部に取り付けられた外部アタッチメントであることを特徴とする。
【００１０】
請求項４記載の折り畳み式携帯電話は、請求項１から３のいずれか１項に記載の折り畳み式携帯電話において、調整機構は、第１の筐体を任意の位置で止めるストッパを有することを特徴とする。
【００１１】
請求項５記載の折り畳み式携帯電話は、請求項４記載の折り畳み式携帯電話において、ストッパの位置は、ユーザによって調整されることを特徴とする。
【００１２】
請求項６記載の折り畳み式携帯電話は、請求項１から４のいずれか１項に記載の折り畳み式携帯電話において、調整機構は、無調整にすると角度が１８０度になることを特徴とする。
【００１３】
【発明の実施の形態】
以下、本発明の実施形態であるについて、添付図面を参照しながら詳細に説明する。
【００１４】
図５に折り畳み式携帯電話１の概略図を示す。折り畳み式携帯電話１は、画像表示部２と操作ボタン部３の角度をなすヒンジ部の調整機構であるストッパ４とからなる。ストッパ４は従来の携帯電話のヒンジ部に使用されている、凸型ストッパおよび凹型ストッパを使用する。
【００１５】
図１（ａ）に示すように、本発明の折り畳み式携帯電話は、ヒンジ部に画像表示部２の角度を規制するためのストッパ４を組み込み、ストッパ４の位置を使用者が調整することにより、折り畳み式携帯電話１の画像表示部２と操作ボタン部３の角度を９０度から１８０度の間で任意に設定することが出来る。
【００１６】
図１（ｂ）はヒンジ部拡大図の構成である。ヒンジ部に本ストッパの調整機構を組み込み、使用者はストッパ４の位置を調整する。画像表示部２と操作ボタン部３の角度は、ストッパ４の位置によってきまる。
【００１７】
図２および図３に調整手順の概要を示す。図２は、ストッパ４を調整して画像表示部２と操作ボタン部３との角度が１５０度に開いた携帯電話の状態を側面から見た拡大図である。同様にして、図３は１８０度に開いた状態を示している。
【００１８】
ヒンジ部ストッパの調整方法としてはヒンジ部自体に調整機能を組み込む外部アタッチメントを使用して調整する方法がある。また、ストッパ自体をヒンジ部内部に組み込んでも良いし、携帯電話のヒンジ部の外表面に調整用のハンドル等を設けてもよい。ユーザはそのハンドルを回転させることにより任意の角度に設定でき、画像表示部はハンドルで設定した位置まで開くことになる。
【００１９】
次に、本発明の実施の形態の動作について説明する。一般的に従来の折り畳み式携帯電話では、画像表示部２と操作ボタン部３の角度は画像表示部２と操作ボタン部３の筐体を接触させることにより決定され、任意の角度で保持することは出来ない。ヒンジ部にラッチ等の仕組みを組み込むことにより最大角度以外に中間の１点で角度が保持される仕組みを持った携帯電話はある。
【００２０】
本発明では、ヒンジ部を無調整とした場合には画像表示部２と操作ボタン部３の角度は最大の１８０度に開くことになる。この状態でヒンジ部ストッパを調整する機構を使用してヒンジ部ストッパの位置を調整することにより、画像表示部２と操作ボタン部３の角度は９０度まで調整することが出来る。図４（ａ）、（ｂ）、（ｃ）に、９０度、１３５度、１８０度に調整された折り畳み式携帯電話の状態の一例を示す。上記角度に限らず、ユーザの設定によって従来よりも細かい角度設定が可能となる。
【００２１】
【発明の効果】
以上の説明から明らかなように、請求項１記載の折り畳み式携帯電話によれば、画像表示を行う画像表示手段を備えた第１の筐体と、ユーザによるボタン操作が行われる操作ボタン手段を備えた第２の筐体と、第１の筐体と第２の筐体とを結合し、角度を規制するヒンジ部とを有し、ヒンジ部に調整機構を取り付けることにより、第１の筐体と第２の筐体との角度を９０度から１８０度の間でユーザによって任意に設定されることを特徴とするので、卓上ホルダーに置いた場合など表示部分を使用者の使用しやすいように設定することが出来る。また、メールを読み書きする場合も、使用者の任意の角度に調整することが出来る。カメラ付き携帯電話ではシャッターを押すことにより角度が変化することがない。
【００２２】
請求項２記載の折り畳み式携帯電話によれば、請求項１記載の折り畳み式携帯電話において、調整機構は、ヒンジ部の内部に組み込まれることを特徴とするので、構成の利便性が図れるとともに、ユーザの好みの角度に設定することが出来る。
【００２３】
請求項３記載の折り畳み式携帯電話によれば、請求項１記載の折り畳み式携帯電話において、調整機構は、ヒンジ部に取り付けられた外部アタッチメントであることを特徴とするので、構成の利便性が図れるとともに、ユーザの好みの角度に設定することが出来る。
【００２４】
請求項４記載の折り畳み式携帯電話によれば、請求項１から３のいずれか１項に記載の折り畳み式携帯電話において、調整機構は、第１の筐体を任意の位置で止めるストッパを有することを特徴とするので、ユーザの好みの角度に設定することが出来る。
【００２５】
請求項５記載の折り畳み式携帯電話によれば、請求項４記載の折り畳み式携帯電話において、ストッパの位置は、ユーザによって調整されることを特徴とするので、ユーザの好みの角度に設定することが出来る。
【００２６】
請求項６記載の折り畳み式携帯電話によれば、請求項１から４のいずれか１項に記載の折り畳み式携帯電話において、調整機構は、無調整にすると角度が１８０度になることを特徴とするので、卓上ホルダーに置いた場合やメールを読み書きする場合に、より画像表示が見やすくなる。また、カメラ付き携帯電話ではシャッターを押すことにより角度が変化することがない。
【図面の簡単な説明】
【図１】本発明の実施形態である折り畳み携帯電話の構成を示す図である。
【図２】本発明の実施形態である折り畳み携帯電話の動作を示す図である。
【図３】本発明の実施形態である折り畳み携帯電話の動作を示す図である。
【図４】本発明の実施形態である折り畳み携帯電話の角度ごとの状態を示す図である。
【図５】本発明の実施形態である折り畳み携帯電話の外観を示す概略図である。
【符号の説明】
１  携帯電話
２  画面表示部
３  操作ボタン部
４  ストッパ
【図１】
2004316684.tif 000003
【図２】
2004316684.tif 000004
【図３】
2004316684.tif 000005
【図４】
2004316684.tif 000006
【図５】
2004316684.tif 000007